(57)【要約】  互いに直交する複数の第１の系列のうちの１つの系列の各成分をサブフレーム毎の応答信号に乗算し、複数の巡回シフト量のうちの１つで定義される第２の系列と、互いに直交する複数の第３の系列のうちの１つとを応答信号に乗算する。複数の第１の系列のうちの少なくとも２つの系列は、それぞれが巡回シフト量と第３の系列とから構成される複数のリソースのうち、異なるリソースにそれぞれ対応付けられている。
2016047012.tif 000002
【特許請求の範囲】
【請求項１】
データ信号に対する応答信号を複数のサブフレームに渡ってレピティションし、互いに直交する複数の第１の系列のうちの１つの系列の各成分をサブフレーム毎の前記応答信号に乗算する生成部と、
複数の巡回シフト量のうちの１つで定義される第２の系列と、互いに直交する複数の第３の系列のうちの１つとを、前記応答信号に乗算する拡散部と、
を具備し、
前記複数の第１の系列のうちの少なくとも２つの系列は、それぞれが前記巡回シフト量と前記第３の系列とから構成される複数のリソースのうち、異なるリソースにそれぞれ対応付けられている、
通信装置。
【請求項２】
前記複数の第１の系列のうち、互いに部分直交する少なくとも２つ系列にそれぞれ対応付けられた、同一の前記第３の系列に対して用いられる巡回シフト量の差は、互いに部分直交しない少なくとも２つの系列にそれぞれ対応付けられた、同一の前記第３系列に対して用いられる巡回シフト量の差よりも小さい、
請求項１に記載の通信装置。
【請求項３】
前記複数の第１の系列のうち、互いに部分直交しない少なくとも２つの系列は、異なる前記リソースに対応付けられ、
前記複数の第１系列のうち、互いに部分直交する少なくとも２つの系列は、同一の前記リソースに対応付けられている、
請求項１に記載の通信装置。
【請求項４】
前記複数の第１の系列のそれぞれに対応付けられた、同一の前記第３系列に対して用いられる巡回シフト量間の差は、前記第１系列の系列長より小さい、
請求項１に記載の通信装置。
【請求項５】
前記複数の第１の系列は、それぞれ異なる前記リソースに対応付けられ、
前記複数の第１の系列は、それぞれ異なるレピティション回数に対応付けられている、
請求項１に記載の通信装置。
【請求項６】
前記複数の第１の系列は、それぞれ異なるレピティション回数に対応付けられ、
前記複数の第１の系列のうち、互いに部分直交する少なくとも２つの系列にそれぞれ対応付けられた前記レピティション回数の差は、互いに部分直交しない少なくとも２つの系列にそれぞれ対応付けられたレピティション回数の差よりも小さい、
請求項１に記載の通信装置。
【請求項７】
前記複数の第１系列のうち、互いに部分直交する少なくとも２つの系列は、同一の前記リソースに対応付けられ、互いに部分直交しない少なくとも２つの系列は、異なる前記リソースに対応付けられ、
前記複数の第１の系列のうち、互いに部分直交する前記少なくとも２つの系列にそれぞれ対応付けられたレピティション回数の差は、互いに部分直交しない前記少なくとも２つの系列にそれぞれ対応付けられたレピティション回数の差よりも小さい、
請求項１に記載の通信装置。
【請求項８】
前記複数の第１の系列は、それぞれ異なるレピティション回数に対応付けられている、
請求項１に記載の通信装置。
【請求項９】
データ信号を送信する、送信部と、
複数のサブフレームに渡ってレピティションされた、前記データ信号に対する応答信号を受信し、前記応答信号には、互いに直交する複数の第１の系列のうちの１つの系列の各成分が前記複数のサブフレーム毎に乗算され、複数の巡回シフト量のうちの１つで定義される第２の系列と、互いに直交する複数の第３の系列のうちの１つとが、乗算されている、受信部と、
を具備し、
前記複数の第１の系列のうちの少なくとも２つの系列は、それぞれが前記巡回シフト量と前記第３の系列とから構成される複数のリソースのうち、異なるリソースにそれぞれ対応付けられている、
通信装置。
【請求項１０】
データ信号に対する応答信号を複数のサブフレームに渡ってレピティションし、互いに直交する複数の第１の系列のうちの１つの系列の各成分をサブフレーム毎の前記応答信号に乗算し、
複数の巡回シフト量のうちの１つで定義される第２の系列と、互いに直交する複数の第３の系列のうちの１つとを、前記応答信号に乗算し、
前記複数の第１の系列のうちの少なくとも２つの系列は、それぞれが前記巡回シフト量と前記第３の系列とから構成される複数のリソースのうち、異なるリソースにそれぞれ対応付けられている、
送信方法。
【請求項１１】
データ信号を送信し、
複数のサブフレームに渡ってレピティションされた、前記データ信号に対する応答信号を受信し、前記応答信号には、互いに直交する複数の第１の系列のうちの１つの系列の各成分が前記複数のサブフレーム毎に乗算され、複数の巡回シフト量のうちの１つで定義される第２の系列と、互いに直交する複数の第３の系列のうちの１つとが乗算されており、
前記複数の第１の系列のうちの少なくとも２つの系列は、それぞれが前記巡回シフト量と前記第３の系列とから構成される複数のリソースのうち、異なるリソースにそれぞれ対応付けられている、
受信方法。
【発明の詳細な説明】
【技術分野】
【０００１】
本開示は、通信装置、特に、端末、基地局に関し、端末、基地局における信号の送信方法及び受信方法に関する。
【背景技術】
【０００２】
3GPP LTE（3rd Generation Partnership Project Long Term Evolution）では、下りリンクの通信方式として直交周波数分割マルチアクセス（OFDMA：Orthogonal Frequency Division Multiple Access）が採用されている。【０００３】
3GPP LTEが適用された無線通信システムでは、基地局（eNBと呼ぶこともある）から端末（UE（User Equipment）と呼ぶこともある）への下りリンクデータに対してHARQ（Hybrid Automatic Repeat Request）が適用される。つまり、端末は、下りリンクデータの誤り検出結果を示す応答信号を基地局へフィードバックする。端末は、下りリンクデータに対してCRC（Cyclic Redundancy Check）を行って、CRCの演算結果に誤りがなければ肯定応答（ACK: Acknowledgement）を、CRCの演算結果に誤りがあれば否定応答（NACK: Negative Acknowledgement）を応答信号として基地局へフィードバックする。この応答信号（つまり、ACK/NACK信号）のフィードバックには、PUCCH（Physical Uplink Control Channel）等の上りリンク制御チャネルが用いられる。【０００４】
3GPP LTEでは、複数の端末からそれぞれ送信される複数のACK/NACK信号は、図１に示すように、時間軸上においてZero Auto-correlation特性を持つZAC（Zero Auto-correlation）系列によって拡散され（ZAC系列を乗算）、PUCCH内においてコード多重されている（例えば、非特許文献１〜３を参照）。図１において、（W(0), W(1), W(2), W(3)）は系列長４のウォルシュ系列を表し、（F(0),F(1),F(2)）は系列長３のDFT系列を表す。【０００５】
図１に示すように、端末ではACK/NACK信号は、まず周波数軸上においてZAC系列（系列長１２）によって１SC-FDMA（Single-Carrier Frequency Division Multiple Access）シンボルに対応する周波数成分へ１次拡散される。つまり、系列長１２のZAC系列に対して、複素数で表されるACK/NACK信号成分が乗算される。次に、１次拡散後のACK/NACK信号、及び、参照信号としてのZAC系列は、それぞれウォルシュ系列（系列長４: W(0)〜W(3)）及びDFT系列（系列長３: F(0)〜F(2)）によって２次拡散される。つまり、系列長１２の信号（１次拡散後のACK/NACK信号、又は、参照信号としてのZAC系列）のそれぞれの成分に対して、直交符号系列（Orthogonal sequence: ウォルシュ系列又はDFT系列）の各成分が乗算される。さらに、２次拡散された信号は、逆離散フーリエ変換（IDFT: Inverse Discrete Fourier Transform又はIFFT： Inverse Fast Fourier Transform）によって時間軸上の系列長１２の信号に変換される。そして、IFFT後の信号のそれぞれに対して、サイクリックプリフィックス（CP：Cyclic Prefix）が付加され、７つのSC-FDMAシンボルからなる１スロットの信号が形成される。【０００６】
PUCCHリソースは、サブフレーム単位で各端末に割り当てられる。また、１サブフレームは２スロットで構成される。【０００７】
異なる端末からのACK/NACK信号は、異なる巡回シフト量（Cyclic Shift Index）で定義されるZAC系列、又は、異なる系列番号（OC Index: Orthogonal Cover Index）に対応する直交符号系列を用いて拡散（乗算）されている。直交符号系列は、ウォルシュ系列とDFT系列との組である。また、直交符号系列は、ブロックワイズ拡散コード系列（Block-wise spreading code）と称されることもある。したがって、基地局は、逆拡散及び相関処理を用いることにより、これらのコード多重された複数のACK/NACK信号を分離することができる（例えば、非特許文献４を参照）。図２は、直交符号系列の系列番号（OC Index：０〜２）及びZAC系列の巡回シフト量（Cyclic shift Index：０〜１１）によって定義されるPUCCHリソースを示す。系列長４のウォルシュ系列及び系列長３のDFT系列を用いた場合、同一の時間周波数リソースにおいて、最大で3*12=36個のPUCCHリソースを定義できる。ただし、36個のPUCCHリソースをすべて利用可能とするとは限らない。例えば、図２は、端末での送信タイミングのずれ、マルチパスによる遅延波、端末の移動に起因する符号化干渉などによる特性劣化を抑圧するために、１８個のPUCCHリソース（#0〜#17）を利用可能とした場合を示す。【０００８】
ところで、今後の情報社会を支える仕組みとして、近年、ユーザの判断を介することなく機器間の自律的な通信によりサービスを実現するM2M（Machine-to-Machine）通信が期待されている。M2Mシステムの具体的な応用事例としてスマートグリッドがある。スマートグリッドは、電気又はガスなどのライフラインを効率的に供給するインフラシステムである。例えば、スマートグリッドは、各家庭又はビルに配備されるスマートメータと中央サーバとの間でM2M通信を実施して、自律的かつ効果的に資源の需要バランスを調整する。M2M通信システムの他の応用事例として、物品管理又は遠隔医療などのためのモニタリングシステム、自動販売機の在庫又は課金の遠隔管理などが挙げられる。【０００９】
M2M通信システムにおいては、特に広範な通信エリアを有するセルラシステムの利用が着目されている。3GPPでは、LTE及びLTE-Advancedの規格化においてセルラネットワークを前提としたM2Mの検討が、マシンタイプ通信（MTC: Machine Type Communication）という名称で進められている。特に、スマートメータなどのMTC通信機器が既存の通信エリアにおいて利用できない、ビルの地下などの場所に配置されている場合に対応するため、通信エリアをさらに拡大する「カバレッジエンハンスメント（Coverage Enhancement）」が検討されている（例えば、非特許文献５を参照）。【００１０】
通信エリアをさらに拡大するために、MTCカバレッジエンハンスメントでは、同一信号を複数回繰り返して送信するレピティションが検討されている。具体的には、PUCCHにおいてレピティション送信を行うことが検討されている。PUCCHの受信側である基地局では、レピティション送信された信号を合成することにより、受信信号電力の改善を図ることができ、通信エリアを拡大できる。
【先行技術文献】
【非特許文献】
【００１１】
【非特許文献１】3GPP TS 36.211 V11.5.0, “Physical channels and modulation (Release 11),” December 2013.
【非特許文献２】3GPP TS 36.212 V11.4.0, “Multiplexing and channel coding (Release 11),” December 2013.
【非特許文献３】3GPP TS 36.213 V11.5.0, “Physical layer procedures (Release 11),”December 2013.
【非特許文献４】Seigo Nakao, Tomofumi Takata, Daichi Imamura, and Katsuhiko Hiramatsu, “Performance enhancement of E-UTRA uplink control channel in fast fading environments,” Proceeding of 2009 IEEE 69th Vehicular Technology Conference (VTC2009-Spring), April 2009.
【非特許文献５】3GPP TR 36.888 V12.0.0, “Study on provision of low-cost Machine-Type Communications (MTC) User Equipments (UEs) based on LTE、” June 2013.
【非特許文献６】R1-140501, Panasonic, “(E)PDCCH coverage enhancement for MTC, 3GPP TSG RAN WG1 Meeting #76, February 2014.
【発明の概要】
【００１２】
レピティション送信では、１つのACK/NACK信号を複数サブフレームに渡って繰り返して送信する。そのため、レピティション送信では、制御信号のオーバーヘッドが増加し、周波数利用効率が低下してしまう。また、上述したように、PUCCHでは、異なる端末からの信号が異なるPUCCHリソース（巡回シフト量及び直交符号系列）を用いて多重されている。しかし、MTCシステムでは、セル内の端末が非常に多くなることが想定されるため、端末数の増加に伴い、PUCCHリソースが逼迫することも考えられる。
【００１３】
本開示の非限定的な実施例は、MTCカバレッジエンハンスメントモードにおけるリピティション送信において、PUCCHリソースを確保し、符号間干渉による伝送特性の劣化を抑えることができる通信装置、送信方法及び受信方法を提供することである。
【００１４】
本開示の一態様に係る通信装置は、データ信号に対する応答信号を複数のサブフレームに渡ってレピティションし、互いに直交する複数の第１の系列のうちの１つの系列の各成分をサブフレーム毎の前記応答信号に乗算する生成部と、複数の巡回シフト量のうちの１つで定義される第２の系列と、互いに直交する複数の第３の系列のうちの１つとを、前記応答信号に乗算する拡散部と、を具備し、前記複数の第１の系列のうちの少なくとも２つの系列は、それぞれが前記巡回シフト量と前記第３の系列とから構成される複数のリソースのうち、異なるリソースにそれぞれ対応付けられている。
【００１５】
本開示の一態様に係る通信装置は、データ信号を送信する、送信部と、複数のサブフレームに渡ってレピティションされた、前記データ信号に対する応答信号を受信し、前記応答信号には、互いに直交する複数の第１の系列のうちの１つの系列の各成分が前記複数のサブフレーム毎に乗算され、複数の巡回シフト量のうちの１つで定義される第２の系列と、互いに直交する複数の第３の系列のうちの１つとが乗算されている、受信部と、を具備し、前記複数の第１の系列のうちの少なくとも２つの系列は、それぞれが前記巡回シフト量と前記第３の系列とから構成される複数のリソースのうち、異なるリソースにそれぞれ対応付けられている。
【００１６】
本開示の一態様に係る送信方法は、データ信号に対する応答信号を複数のサブフレームに渡ってレピティションし、互いに直交する複数の第１の系列のうちの１つの系列の各成分をサブフレーム毎の前記応答信号に乗算し、複数の巡回シフト量のうちの１つで定義される第２の系列と、互いに直交する複数の第３の系列のうちの１つとを、前記応答信号に乗算し、前記複数の第１の系列のうちの少なくとも２つの系列は、それぞれが前記巡回シフト量と前記第３の系列とから構成される複数のリソースのうち、異なるリソースにそれぞれ対応付けられている。
【００１７】
本開示の一態様に係る受信方法は、データ信号を送信し、複数のサブフレームに渡ってレピティションされた、前記データ信号に対する応答信号を受信し、前記応答信号には、互いに直交する複数の第１の系列のうちの１つの系列の各成分が前記複数のサブフレーム毎に乗算され、複数の巡回シフト量のうちの１つで定義される第２の系列と、互いに直交する複数の第３の系列のうちの１つとが乗算されており、前記複数の第１の系列のうちの少なくとも２つの系列は、それぞれが前記巡回シフト量と前記第３の系列とから構成される複数のリソースのうち、異なるリソースにそれぞれ対応付けられている。
【００１８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１９】
本開示の一態様によれば、MTCカバレッジエンハンスメントにおけるリピティション送信において、PUCCHリソースを確保し、符号間干渉による伝送特性の劣化を抑えることができる。また、本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００２０】
【図１】図１は、応答信号及び参照信号の拡散方法を示す。
【図２】図２は、PUCCHリソースの一例を示す。
【図３】図３は、ACK/NACK信号の拡散方法の一例を示す。
【図４】図４は、PUCCHリソースの一例を示す。
【図５】図５は、実施の形態１に係る基地局の要部構成を示す。
【図６】図６は、実施の形態１に係る端末の要部構成を示す。
【図７】図７は、実施の形態１に係る基地局の構成を示す。
【図８】図８は、実施の形態１に係る端末の構成を示す。
【図９】図９は、実施の形態１に係るPUCCHリソースの設定例を示す（NSF=2の場合）。
【図１０】図１０は、実施の形態１に係るPUCCHリソースの設定例を示す（NSF=4の場合）。
【図１１】図１１は、実施の形態１に係るバリエーションに係るPUCCHリソースの設定例を示す。
【図１２】図１２は、実施の形態２に係るPUCCHリソースの設定例を示す。
【図１３】図１３は、PUCCHのレピティション送信例を示す。
【図１４】図１４は、実施の形態３に係るPUCCHリソースの設定例を示す。
【図１５】図１５は、実施の形態４に係るPUCCHリソースの設定例を示す。
【発明を実施するための形態】
【００２１】
（本開示の基礎となった知見）
まず、MTCカバレッジエンハンスメントを行う端末（レピティション送信を行う端末、又は、MTCカバレッジエンハンスメントモードの端末、とも呼ぶ）がPUCCHにおいて複数のサブフレームに渡ってレピティション送信を行う場合に、サブフレーム毎の信号に直交符号系列の各成分を乗算してサブフレーム間で拡散を行うことを考える。これにより、単純にレピティション送信をする場合（つまり、サブフレーム間拡散を行わない場合）と比較して、PUCCHリソースを増やすことができる。なお、以下の説明では、サブフレーム間拡散において用いられる直交符号系列を「サブフレーム間直交符号系列」と呼ぶ。
【００２２】
しかしながら、この場合、サブフレーム間直交符号系列によって拡散された信号を受信する基地局では、複数のサブフレームに渡って信号を逆拡散する必要がある。サブフレーム間拡散を用いない場合には、１サブフレームでの直交符号系列間の直交性を考慮すればよく、端末と基地局との間のチャネルの時間変動の影響は十分に抑圧可能であった。これに対して、サブフレーム間拡散を用いる場合には、複数のサブフレーム（サブフレーム間拡散の拡散率に相当する数のサブフレーム）においてサブフレーム間直交符号系列間での直交性を保つ必要がある。このため、サブフレーム間直交符号系列間の直交性の崩れによる符号間干渉が発生しやすい。その結果、符号間干渉により、伝送特性が劣化する可能性がある。
【００２３】
以下、本開示の実施の形態について図面を参照して詳細に説明する。
【００２４】
［通信システムの概要］
本開示の各実施の形態に係る通信システムは、例えば、LTE-Advancedに対応するシステムであって、通信装置として、基地局１００及び端末２００を備える。
【００２５】
基地局１００のセル内に、MTCカバレッジエンハンスメントモードの端末２００が複数個存在している場合を想定する。端末２００は、例えば、MTCカバレッジエンハンスメントモードが適用される場合、PUCCHを、複数のサブフレームに渡ってレピティションして送信する（レピティション送信）。ここで、例えば、レピティション送信は、１サブフレームを１回分として、同一の信号を複数回送信する。すなわち、端末２００は、所定のレピティション回数（レピティションレベル、又はRepetition Factorと呼ぶこともある）分の連続するサブフレームにおいて、所定のレピティション回数分の同一の応答信号（ACK/NACK信号）を繰り返し送信する。その際、端末２００は、レピティション送信される信号に対して、サブフレーム間直交符号系列の各成分をサブフレーム毎に乗算する。
【００２６】
例えば、NRep回のレピティションが行われる場合（つまり、レピティション回数：NRep）、端末２００は、１サブフレームの信号をNRepサブフレームに渡って繰り返し送信する。このとき、端末２００は、レピティション送信される応答信号に対して、レピティションが行われるサブフレーム毎にサブフレーム間直交符号系列の各成分（C(0)〜C(NSF-1)、NSFは系列長又は拡散率を表す）を乗算する。図３は、レピティション回数NRepが4であり、サブフレーム間直交符号系列の系列長NSFが4である場合の応答信号の拡散方法の一例を示す。サブフレーム間直交符号系列の系列長又は拡散率NSFは、レピティション回数NRepと同一の値としてもよく、予め決められた値（例えば、セル固有の値）としてもよい。
【００２７】
このように、各端末２００は、互いに直交する複数のサブフレーム間直交符号系列のうちの１つの系列の各成分を、複数のサブフレーム毎の応答信号に乗算する。つまり、端末２００は、PUCCHにおいて送信する応答信号に対して、巡回シフト量で定義されるZAC系列、及び、サブフレーム内直交符号系列を用いたサブフレームの各々における拡散に加え、サブフレーム間直交符号系列を用いた複数のサブフレームに渡る拡散処理を行う。
【００２８】
なお、サブフレーム間直交符号系列と区別するために、以下では、上述したサブフレーム内（各スロット）において用いられる直交符号系列（図１参照）を「サブフレーム内直交符号系列」と呼ぶ。
【００２９】
ここで、複数の端末２００からそれぞれ送信される複数の応答信号は、異なる巡回シフト量（Cyclic Shift Index）で定義されるZAC系列、異なる系列番号（OC Index: Orthogonal Cover Index）に対応するサブフレーム内直交符号系列、又は、異なる直交符号系列番号（Inter-subframe(SF) OC Index）に対応するサブフレーム間直交符号系列を用いてそれぞれ拡散される。一方、基地局１００は、まず、サブフレーム間直交符号系列に関する逆拡散及び相関処理を行い、その後、サブフレーム内直交符号系列及びZAC系列に関する逆拡散及び相関処理を行う。これにより、基地局１００では、コード多重された複数の応答信号を分離することができる。
【００３０】
なお、各端末２００が応答信号を送信するPUCCHリソース（巡回シフト量、サブフレーム内直交符号系列及びサブフレーム間直交符号系列）は、下り制御情報がマッピングされたCCE（Control Channel Element）番号と対応付けられてImplicitに通知されてもよく、基地局１００から下りリンク制御信号等を用いてDynamicに又はSemi-staticに通知されてもよい。
【００３１】
図４は、ZAC系列の巡回シフト量（Cyclic shift Index）、サブフレーム内直交符号（OC Index）及びサブフレーム間直交符号（Inter-SF OC Index）によって定義されるPUCCHリソースの一例を示す。図４では、１２個の巡回シフト量、サブフレーム間直交符号系列として系列長４の４つのウォルシュ系列、及び、サブフレーム内直交符号系列として系列長４の３つのウォルシュ系列（又は系列長３の３つのDFT系列）を用いる。この場合、レピティション送信に用いられるサブフレームに対して、最大で4*3*12=144個のPUCCHリソースが利用可能となる。
【００３２】
なお、互いに異なる巡回シフト量で定義される系列であれば、ZAC系列以外の系列でもよい。また、互いに直交する系列であれば、ウォルシュ系列以外の系列でもよい。
【００３３】
また、サブフレーム間直交符号系列の系列長が２のべき乗である場合には、サブフレーム間直交符号系列としてウォルシュ系列を用いることができる。例えば、NSF＝４の場合、サブフレーム間直交符号系列（C(0)，C(1)，C(2)，C(3)）は、（1,1,1,1）、（1,-1,1,-1）、（1,1,-1,-1）及び（1,-1,-1,1）の４つとなる。一方、サブフレーム間直交符号系列の系列長が２のべき乗ではない場合には、サブフレーム間直交符号系列として複素拡散符号を用いることができる。例えば、NSF＝５の場合、サブフレーム間直交符号系列（C(0)，C(1)，C(2)，C(3)，C(4)）は、（1,1,1,1,1）、（1,ej2π/5,ej4π/5,ej6π/5,ej8π/5）、（1,ej8π/5,ej6π/5,ej4π/5,ej2π/5）、（1,ej4π/5,ej8π/5,ej2π/5,ej6π/5）、（1,ej6π/5,ej2π/5,ej8π/5,ej4π/5）の５つとなる。
【００３４】
このように、レピティション送信を行う場合に、レピティション送信される信号に対してサブフレーム毎にサブフレーム間直交符号系列を乗算することにより（例えば、図４を参照）、単純にレピティション送信を行う場合（つまり、サブフレーム間拡散を行わない場合。例えば、図２を参照）と比較して、最大でサブフレーム間直交符号系列の系列長倍のPUCCHリソースを用意することができる。ただし、図４に示す144個のPUCCHリソースをすべて利用とするとは限らない。
【００３５】
図５は本開示の実施の形態に係る基地局１００の要部構成を示すブロック図である。図５に示す基地局１００において、送信部１１２は、データ信号を端末２００に送信する。受信部１１４は、複数のサブフレームに渡ってレピティションされた、データ信号に対する応答信号（ACK/NACK信号）を受信する。ただし、応答信号には、互いに直交する複数のサブフレーム間直交符号系列（第１の系列）のうちの１つの系列の各成分が複数のサブフレーム毎に乗算され、複数の巡回シフト量のうちの１つで定義されるZAC系列（第２の系列）と、互いに直交する複数のサブフレーム内直交符号系列（第３の系列）のうちの１つとが、乗算されている。判定部１２１は、受信された応答信号が、ACK又はNACKのいずれかを示しているかを判定する。
【００３６】
また、図６は、本開示の各実施の形態に係る端末２００の要部構成を示すブロック図である。図６に示す端末２００において、受信部２０２は、基地局１００から送信されたデータ信号を受信する。ACK/NACK生成部２１４は、データ信号に対する応答信号を複数のサブフレームに渡ってレピティションし、互いに直交する複数のサブフレーム間直交符号系列（第１の系列）のうちの１つの系列の各成分をサブフレーム毎の応答信号に乗算する。拡散部２１６（２１７）は、複数の巡回シフト量のうちの１つで定義されるZAC系列（第２の系列）と、互いに直交する複数のサブフレーム内直交符号系列（第３の系列）のうちの１つとを、複数のサブフレームの各々における応答信号に乗算する。送信部２２０は、応答信号を基地局１００に送信する。
【００３７】
ここで、複数の巡回シフト量のうちの１つと複数のサブフレーム内直交符号系列のうちの１つとから、一つのリソースが構成される。すなわち、複数の巡回シフト量と複数のサブフレーム内直交符号系列とから、複数のリソースが構成される。複数のサブフレーム間直交符号系列のそれぞれは、１つ以上のリソースに対応付けられ、複数のサブフレーム間直交符号系列のうちの少なくとも２つの系列は、複数のリソースのうち、異なるリソースにそれぞれ対応付けられている。すなわち、複数のサブフレーム間直交符号系列のうちの１つの系列が対応付けられたリソースは、複数のサブフレーム間直交符号系列のうちの他の１つの系列が対応付けられたリソースとは異なる。
【００３８】
（実施の形態１）
［基地局の構成］
図７は、本開示の実施の形態１に係る基地局１００の構成を示すブロック図である。図７において、基地局１００は、制御部１０１と、制御信号生成部１０２と、制御信号符号化部１０３と、制御信号変調部１０４と、報知信号生成部１０５と、データ符号化部１０６と、再送制御部１０７と、データ変調部１０８と、信号割当部１０９と、IFFT部１１０と、CP付加部１１１と、送信部１１２と、アンテナ１１３と、受信部１１４と、CP除去部１１５と、PUCCH抽出部１１６と、系列制御部１１７と、レピティション信号合成受信部１１８と、逆拡散部１１９と、相関処理部１２０と、判定部１２１とを有する。
【００３９】
なお、図７に示す基地局１００の各構成は例示であり、他の構成に置き換える、又は、省略することが可能であり、本開示を実施するにおいて必ずしも全ての構成は必要ない。
【００４０】
制御部１０１は、端末２００に対して、制御情報を送信するための下りリソース（下り制御情報割当リソース）、及び、当該制御情報によって示される、下りリンクデータ（送信データ）を送信するための下りリソース（下りデータ割当リソース）を割り当てる。下り制御情報割当リソースは、１つ又は複数のCCEから構成される。PUCCHリソースがCCEを用いてImplicitに通知される場合、各CCEは、上りリンク制御チャネル領域（PUCCH領域）のPUCCHリソース（巡回シフト量、サブフレーム内直交符号系列及びサブフレーム間直交符号系列）と対応付けられている。
【００４１】
また、制御部１０１は、端末２００が用いるPUCCHリソース（巡回シフト量、サブフレーム内直交符号系列及びサブフレーム間直交符号系列）を決定する。制御部１０１は、端末２００から送信されるPUCCH信号（応答信号及び参照信号）の拡散に用いられる可能性がある巡回シフト量及び直交符号系列（サブフレーム間直交符号系列及びサブフレーム内直交符号系列）に関する情報を、系列制御部１１７へ出力し、周波数に関する情報をPUCCH抽出部１１６へ出力する。
【００４２】
また、制御部１０１は、端末２００に対して、制御情報を送信する際に用いる符号化率を決定し、決定した符号化率を制御信号符号化部１０３へ出力する。また、制御部１０１は、端末２００に対して、下りリンクデータを送信する際に用いる符号化率を決定し、決定した符号化率をデータ符号化部１０６へ出力する。
【００４３】
なお、決定される符号化率に応じて制御情報のデータ量が異なるので、制御部１０１は、このデータ量に応じて、制御情報をマッピング可能なCCEを含む下り制御情報割当リソースを割り当てる。制御部１０１は、制御信号生成部１０２に対して、下りデータ割当リソースに関する情報を出力する。また、制御部１０１は、下りデータ割当リソース及び下り制御情報割当リソースに関する情報を信号割当部１０９に出力する。
【００４４】
また、制御部１０１は、端末２００に対してMTCカバレッジエンハンスメントモードが設定される場合、当該端末２００に対するレピティション回数に関する情報を、制御信号生成部１０２に出力する。
【００４５】
また、制御部１０１は、報知信号生成部１０５に対して、基地局１００毎に予め決められたパラメータに基づいて報知信号を生成するように指示する。
【００４６】
また、制御部１０１は、PUCCHリソースに関する情報を生成し、制御信号生成部１０２へ出力する。PUCCHリソースに関する情報とは、端末２００がPUCCHリソースを特定するためのパラメータである。例えば、PUCCHリソースに関する情報として、PUCCH領域に配置される１リソースブロック当たりに符号多重されるPUCCHリソースの最大数に関する情報などが挙げられる。なお、PUCCHリソースに関する情報は、セル固有の値として報知情報として端末２００へ通知されてもよく、上位レイヤのシグナリングとして端末２００へ通知されてもよい。
【００４７】
制御信号生成部１０２は、制御部１０１から受け取る情報（下りデータ割当リソースに関する情報又はPUCCHのレピティション回数に関する情報）を用いて制御信号を生成し、制御信号を制御信号符号化部１０３に出力する。端末２００が複数ある場合、端末２００を区別するために、制御信号には、端末IDが含まれる。例えば、制御信号には、端末IDによってマスキングされたCRCビットが含まれる。
【００４８】
制御信号符号化部１０３は、制御部１０１から受け取る符号化率に従って、制御信号生成部１０２から受け取る制御信号を符号化し、符号化後の制御信号を制御信号変調部１０４へ出力する。
【００４９】
制御信号変調部１０４は、制御信号符号化部１０３から受け取る制御信号を変調し、変調後の制御信号を信号割当部１０９へ出力する。
【００５０】
報知信号生成部１０５は、制御部１０１からの指示に従って、報知信号を生成し、報知信号を信号割当部１０９へ出力する。報知信号には、符号化処理及び変調処理が施されてもよい。
【００５１】
データ符号化部１０６は、制御部１０１から受け取る符号化率に従って、送信データ（ビット系列。つまり、下りリンクデータ）に対してターボ符号などの誤り訂正符号化を施し、符号化後のデータ信号（符号化ビット系列）を再送制御部１０７へ出力する。
【００５２】
再送制御部１０７は、初回送信時には、データ符号化部１０６から受け取る符号化後のデータ信号を保持するとともにデータ変調部１０８へ出力する。再送制御部１０７は、符号化後のデータ信号を、保持する。また、再送制御部１０７は、後述する判定部１２１から、送信したデータ信号に対するNACKを受け取ると、対応する保持データをデータ変調部１０８へ出力する。再送制御部１０７は、送信したデータ信号に対するACKを受け取ると、対応する保持データを削除する。
【００５３】
データ変調部１０８は、再送制御部１０７から受け取るデータ信号を変調して、データ変調信号を信号割当部１０９へ出力する。
【００５４】
信号割当部１０９は、制御信号変調部１０４から受け取る制御信号、報知信号生成部１０５から受け取る報知信号、及び、データ変調部１０６から受け取るデータ変調信号を、下りリソース（下りデータ割当リソース、下り制御情報割当リソース等）にマッピングし、マッピングした信号をIFFT部１１０へ出力する。具体的には、信号割当部１０９は、制御部１０１から受け取る下り制御情報割当リソースに関する情報によって示されるリソースに制御信号をマッピングし、制御部１０１から受け取る下りデータ割当リソースに関する情報によって示されるリソースにデータ変調信号をマッピングする。また、信号割当部１０９は、予め設定された時間・周波数リソースに報知信号をマッピングする。
【００５５】
IFFT部１１０は、信号割当部１０９から受け取る信号に対してIFFT処理を行うことにより、周波数領域信号を時間領域信号に変換する。IFFT部１１０は、時間領域信号をCP付加部１１１へ出力する。
【００５６】
CP付加部１１１は、IFFT部１１０から受け取る信号に対してCPを付加し、CP付加後の信号（OFDM信号）を送信部１１２へ出力する。
【００５７】
送信部１１２は、CP付加部１１１から受け取るOFDM信号に対してD/A（Digital-to-Analog）変換、アップコンバート等のRF（Radio Frequency）処理を行い、アンテナ１１３を介して端末２００に無線信号を送信する。
【００５８】
受信部１１４は、アンテナ１１３を介して受信された端末２００からの無線信号に対して、ダウンコンバート又はA/D（Analog-to-Digital）変換などのRF処理を行い、得られる受信信号をCP除去部１１５に出力する。
【００５９】
CP除去部１１５は、受信部１１４から受け取る受信信号に付加されているCPを除去し、CP除去後の信号をPUCCH抽出部１１６へ出力する。
【００６０】
PUCCH抽出部１１６は、制御部１０１から受け取る情報に基づいて、CP除去部１１５から受け取る信号から上り制御チャネル信号（PUCCH）を抽出し、抽出したPUCCHをレピティション信号合成受信部１１８へ出力する。
【００６１】
系列制御部１１７は、制御部１０１から受け取る巡回シフト量及び直交符号系列（サブフレーム間直交符号系列及びサブフレーム内直交符号系列）に関する情報に基づいて、端末２００から送信される応答信号及び参照信号の拡散に用いられる可能性がある巡回シフト量で定義されるZAC系列、及び、直交符号系列を生成する。系列制御部１１７は、直交符号系列のうちのサブフレーム間直交符号系列をレピティション信号合成受信部１１８へ出力し、直交符号系列のうちのサブフレーム内直交符号系列を逆拡散部１１９へ出力し、ZAC系列を相関処理部１２０へ出力する。
【００６２】
レピティション信号合成受信部１１８は、複数サブフレームに渡ってレピティション送信されたPUCCH（応答信号信号及び参照信号）に対して、系列制御部１１７から受け取るサブフレーム間直交符号系列を用いて、当該複数のサブフレームのACK／NACK信号及び参照信号に相当する部分の信号を同相合成して合成信号を生成する。レピティション信号合成受信部１１８は、同相合成後の信号を逆拡散部１１９へ出力する。
【００６３】
逆拡散部１１９は、系列制御部１１７から受け取るサブフレーム内直交符号系列（端末２００が応答信号の拡散に用いるべき直交符号系列）を用いて、レピティション信号合成受信部１１８から受け取る信号のうち応答信号に相当する部分の信号を逆拡散し、逆拡散後の信号を相関処理部１２０に出力する。また、逆拡散部１１９は、サブフレーム内直交符号系列を用いて、レピティション信号合成受信部１１８から受け取る信号のうち参照信号に相当する部分の信号を逆拡散し、逆拡散後の信号を相関処理部１２０に出力する。
【００６４】
相関処理部１２０は、系列制御部１１７から入力されるZAC系列（端末２００が応答信号の拡散に用いるべき巡回シフト量で定義されるZAC系列）と、逆拡散部１１９から入力される信号（応答信号又は参照信号）との相関値を求める。相関処理部１２０は、求めた相関値を判定部１２１に出力する。
【００６５】
判定部１２１は、相関処理部１２０から受け取る相関値に基づいて、端末２００から送信された応答信号が、送信されたデータに対してACK又はNACKのいずれかを示しているかを判定する。判定部１２１は、判定結果を再送制御部１０７に出力する。
【００６６】
［端末の構成］
図８は、本開示の実施の形態１に係る端末２００の構成を示すブロック図である。図８において、端末２００は、アンテナ２０１と、受信部２０２と、CP除去部２０３と、FFT（Fast Fourier Transform）部２０４と、抽出部２０５と、報知信号受信部２０６と、制御信号復調部２０７と、制御信号復号部２０８と、判定部２０９と、データ復調部２１０と、データ復号部２１１と、CRC部２１２と、制御部２１３と、ACK/NACK生成部２１４と、変調部２１５と、１次拡散部２１６と、２次拡散部２１７と、IFFT部２１８と、CP付加部２１９と、送信部２２０とを有する。
【００６７】
なお、図８に示す端末２００の各構成は例示であり、他の構成に置き換える、又は、省略することが可能であり、本開示を実施するにおいて必ずしも全ての構成は必要ない。
【００６８】
受信部２０２は、アンテナ２０１を介して受信された、基地局１００からの無線信号に対してダウンコンバート又はAD変換などのRF処理を行い、ベースバンドのOFDM信号を得る。受信部２０２は、OFDM信号をCP除去部２０３へ出力する。
【００６９】
CP除去部２０３は、受信部２０２から受け取るOFDM信号に付加されているCPを除去し、CP除去後の信号をFFT部２０４へ出力する。
【００７０】
FFT部２０４は、CP除去部２０３から受け取る信号に対してFFT処理を行うことにより、時間領域信号を周波数領域信号に変換する。FFT部２０４は、周波数領域信号を抽出部２０５へ出力する。
【００７１】
抽出部２０５は、FFT部２０４から受け取る信号から報知信号を抽出して、報知信号受信部２０６へ出力する。ここで、報知信号がマッピングされるリソースは予め決まっているので、抽出部２０５は、そのリソースにマッピングされている情報を抽出することにより、報知信号を得る。抽出された報知信号には、例えば、PUCCHリソースに関する信号等が含まれている場合がある。
【００７２】
また、抽出部２０５は、FFT部２０４から受け取る信号から、下り制御チャネル信号（PDCCH信号）を抽出し、制御信号復調部２０７へ出力する。また、抽出部２０５は、判定部２０９から受け取る、自端末宛の下りデータ割当リソースに関する情報に基づいて、FFT部２０４から受け取る信号から下りリンクデータ（PDSCH信号）を抽出し、データ復調部２１０へ出力する。PDCCH信号には、例えば、下りデータ割当リソースに関する情報、PUCCHのレピティション回数に関する情報などが含まれている。
【００７３】
報知信号受信部２０６は、抽出部２０５から受け取る報知信号から、PUCCHリソースに関する情報などを得る。報知信号受信部２０６は、報知信号に符号化処理及び変調処理が施されている場合、復調処理及び復号処理を施す。報知信号受信部２０６は、得られた報知信号を判定部２０９又は制御部２１３へ出力する。
【００７４】
制御信号復調部２０７は、抽出部２０５から受け取るPDCCH信号を復調し、復調後のPDCCH信号を制御信号復号部２０８へ出力する。
【００７５】
制御信号復号部２０８は、制御信号復調部２０７から受け取るPDCCH信号を復号して、復号結果を判定部２０９に出力する。
【００７６】
判定部２０９は、制御信号復号部２０８から受け取る復号結果に含まれる制御情報が自端末宛ての制御情報であるか否かを判定（ブラインド判定）する。例えば、判定部２０９は、自端末の端末IDによって制御情報に含まれるCRCビットをデマスキングし、CRCの演算結果に誤りがなければ、自端末宛ての制御情報であると判定する。そして、判定部２０９は、自装置宛の制御情報に含まれる下りデータ割当リソースに関する情報を抽出部２０５へ出力する。また、判定部２０９は、自端末宛の制御情報がマッピングされていたCCEを特定し、特定したCCEの識別情報（CCE番号）を制御部２１３へ出力する。
【００７７】
データ復調部２１０は、抽出部２０５から受け取る下りリンクデータを復調し、復調後の下りリンクデータをデータ復号部２１１へ出力する。
【００７８】
データ復号部２１１は、データ復調部２１０から受け取る下りリンクデータを復号し、復号後の下りリンクデータをCRC部２１２へ出力する。
【００７９】
CRC部２１２は、データ復号部２１１から受け取る下りリンクデータに対して、CRCを用いて誤り検出を行い、誤り検出結果をACK/NACK生成部２１４へ出力する。また、CRC部２１２は、誤り検出の結果、誤りなしと判定した下りリンクデータを受信データとして出力する。
【００８０】
制御部２１３は、報知信号又は上位レイヤシグナリングによって基地局１００から端末２００に対して通知されたPUCCHリソースに関する情報（CCE番号からPUCCHリソース番号を特定する際に使用されるオフセット値、又は、各PUCCH領域に配置される１リソースブロックあたりに符号多重されるPUCCHリソースの最大数など）、及び、レピティション回数に関する情報を予め保持する。
【００８１】
制御部２１３は、PUCCHリソースに関する情報、及び、判定部２０９から受け取るCCEの識別情報を用いて、CCEの識別情報に対応するPUCCHリソース（周波数、巡回シフト量、及び、直交符号系列）を特定する。すなわち、制御部２１３は、CCEの識別情報に基づいて上り制御チャネルのPUCCHリソースを特定する。
【００８２】
制御部２１３は、使用すべきPUCCHリソースに対応する巡回シフト量で定義されるZAC系列を生成し、１次拡散部２１６へ出力する。また、制御部２１３は、使用すべきPUCCHリソースに対応するサブフレーム間直交符号系列をACK/NACK生成部２１４へ出力し、使用すべきPUCCHリソースに対応するサブフレーム内直交符号系列を２次拡散部２１７へ出力する。また、制御部２１３は、使用すべきPUCCHリソースに対応する周波数リソース（サブキャリア）をIFFT部２１８へ出力する。
【００８３】
また、制御部２１３は、端末がMTCカバレッジエンハンスメントモードに設定されている場合、PUCCHのレピティション回数に関する情報をACK/NACK生成部２１４へ出力する。
【００８４】
ACK/NACK生成部２１４は、CRC部２１２から受け取る誤り検出結果に基づいて、受信した下りリンクデータ（データ信号）に対する応答信号を生成する。具体的には、ACK/NACK生成部２１４は、誤りが検出された場合にはNACKを生成し、誤りが検出されない場合にはACKを生成する。ACK/NACK生成部２１４は、生成した応答信号を変調部２１５へ出力する。
【００８５】
また、ACK/NACK生成部２１４は、端末がMTCカバレッジエンハンスメントモードに設定されている場合、制御部２１３から受け取るレピティション回数に関する情報に従って、応答信号をレピティションする。すなわち、PUCCHのレピティション回数が１より大きい場合には、ACK/NACK生成部２１４は、レピティション回数分の連続する複数のサブフレームに渡って、同一の応答信号を変調部２１５へ出力する。また、ACK/NACK生成部２１４は、端末がMTCカバレッジエンハンスメントモードに設定されている場合、制御部２１３から受け取ったサブフレーム間直交符号系列を、レピティション回数分の連続する複数のサブフレームに渡って応答信号に乗算する。
【００８６】
変調部２１５は、ACK/NACK生成部２１４から受け取る応答信号を変調して、変調後の応答信号を１次拡散部２１６へ出力する。
【００８７】
１次拡散部２１６は、制御部２１３によって設定された巡回シフト量で定義されるZAC系列を用いて、参照信号、及び、変調部２１５から受け取る応答信号を１次拡散し、１次拡散後の応答信号及び参照信号を２次拡散部２１７へ出力する。
【００８８】
２次拡散部２１７は、制御部２１３によって設定されたサブフレーム内直交符号系列を用いて応答信号及び参照信号を２次拡散し、２次拡散後の信号をIFFT部２１８へ出力する。
【００８９】
IFFT部２１８は、制御部２１３によって設定された周波数リソースを用いて、２次拡散部２１７から受け取る応答信号及び参照信号に対してサブキャリアへのマッピング、及び、IFFT処理を行うことにより時間領域信号を生成する。IFFT部２１８は、生成した信号をCP付加部２１９へ出力する。
【００９０】
CP付加部２１９は、IFFT部２１８から受け取る信号に対してCPを付加し、CP付加後の信号を送信部２２０へ出力する。
【００９１】
送信部２２０は、CP付加部２１９から受け取る信号に対してD/A変換、アップコンバート等のRF処理を行い、アンテナ２０１を介して基地局１００に無線信号を送信する。
【００９２】
［PUCCHリソースの設定方法］
以上の構成を有する基地局１００及び端末２００において用いられるPUCCHリソースの設定方法について詳細に説明する。
【００９３】
本実施の形態に係る基地局１００及び端末２００が用いるPUCCHリソース（巡回シフト量、サブフレーム内直交符号系列及びサブフレーム間直交符号系列）において、１つの巡回シフト量と１つのサブフレーム内直交符号系列（系列番号）から１つのリソースが構成され、複数のサブフレーム間直交符号系列のそれぞれに、複数のリソースが対応付けられている。
【００９４】
また、複数のサブフレーム間直交符号系列にそれぞれ対応付けられるリソース（巡回シフト量とサブフレーム内直交符号系列とから定義されるリソース）は互いに異なる。換言すると、サブフレーム間直交符号系列間において異なるリソースが対応づけられ、サブフレーム間直交符号系列間において同一のリソースが対応付けられないように設定される。
【００９５】
図９及び図１０は、本実施の形態に係るPUCCHリソースの設定例を示す。図９は、サブフレーム間直交符号系列の系列長が２（NSF=2）の場合を示し、図１０はサブフレーム間直交符号系列の系列長が４（NSF=4）の場合を示す。
【００９６】
例えば、図９に示すサブフレーム間直交符号系列(1，1)に対応付けられたリソース（斜線のハッチングで示す領域。以下、同様である。）には、系列番号（OC Index）が0及び2のサブフレーム内直交符号系列と、0,2,4,6,8,10の巡回シフト量（Cyclic Shift Index）とから構成されるリソースと、系列番号（OC Index）=が1のサブフレーム内直交符号系列と、1,3,5,7,9,11の巡回シフト量とから構成されるリソースとが含まれる。
【００９７】
一方、図９に示すサブフレーム間直交符号系列(1，-1)に対応付けられたリソースには、系列番号（OC Index）が0,2のサブフレーム内直交符号系列と、1,3,5,7,9,11の巡回シフト量とから構成されるリソースと、系列番号（OC Index）が1のサブフレーム内直交符号系列と、0,2,4,6,8,10の巡回シフト量とから構成されるリソースとが含まれる。
【００９８】
つまり、図９に示すサブフレーム間直交符号系列（1，1）に対応付けられたリソース（巡回シフト量とサブフレーム内直交符号系列との組み合わせ）とサブフレーム間直交符号系列（1，-1）に対応付けられたリソースとは互いに異なる。換言すると、サブフレーム間直交符号系列（1，1）とサブフレーム間直交符号系列（1，-1）とにそれぞれ対応付けられたリソースは重複しない（同一ではない）。
【００９９】
同様に、図１０に示すサブフレーム間直交符号系列(1，1，1，1)に対応付けられたリソースには、系列番号（OC Index）が0のサブフレーム内直交符号系列と、0,4,8の巡回シフト量から構成されるリソースと、系列番号（OC Index）が1のサブフレーム直交符号系列と、1,5,9の巡回シフト量とから構成されるリソースと、系列番号（OC Index）が2のサブフレーム直交符号系列と、2,6,10の巡回シフト量とから構成されるリソースが含まれる。
【０１００】
また、図１０に示す他のサブフレーム間直交符号系列(1，-1，1，-1)、(1，1，-1，-1)、(1，-1，-1，1)には、サブフレーム間直交符号系列(1，1，1，1)に対応付けられたリソースを巡回シフト量軸方向にそれぞれ1つ、2つ、3つ分巡回シフトさせたリソースが対応付けられている。換言すれば、４つのサブフレーム間直交符号系列にそれぞれ対応付けられた巡回シフト量は、所定の間隔（又は差。図１０では1）を有している。
【０１０１】
つまり、図９と同様、図１０に示す４個のサブフレーム間直交符号系列にそれぞれ対応付けられたリソース（巡回シフト量とサブフレーム内直交符号系列との組み合わせ）は互いに異なる。換言すると、４個のサブフレーム間直交符号系列にそれぞれ対応付けられたリソースは重複しない（同一ではない）。
【０１０２】
基地局１００は、図９又は図１０に示すPUCCHリソース設定に基づいて、MTCエンハンスメントモードが設定された端末２００に対してPUCCHリソースを割り当てる。また、端末２００は、基地局１００に割り当てられたPUCCHリソースを用いて、応答信号を送信する。
【０１０３】
図９及び図１０に示すように、複数のサブフレーム間直交符号系列にそれぞれ対応付けられるリソースは互いに異なる。これにより、異なるサブフレーム間直交符号系列を含むPUCCHリソースが割り当てられる端末２００間では、同一のリソース（巡回シフト量とサブフレーム内直交符号系列との組み合わせ）は使用されない。
【０１０４】
例えば、異なるサブフレーム間直交符号系列が割り当てられた端末２００のそれぞれの応答信号が送信される時間（つまり、レピティション送信期間）内において、サブフレーム間直交符号系列間の直交性が崩れたとしても、異なるリソース（サブフレーム内直交符号系列及び巡回シフト量）によって、端末２００間のPUCCHリソースの直交性が維持される可能性が高くなる。よって、本実施の形態に係るPUCCHリソースの設定により、サブフレーム間直交符号系列間の直交性の崩れによる符号間干渉の影響を低減することができる。
【０１０５】
すなわち、基地局１００及び端末２００では、サブフレーム間直交符号系列の直交性の崩れによって符号間干渉が発生し得る状況でも、巡回シフト系列及びサブフレーム内直交符号系列による拡散・逆拡散の効果によって符号間干渉の影響を低減することができる。
【０１０６】
以上より、本実施の形態によれば、サブフレーム間直交符号系列間での直交性の崩れに起因した符号間干渉の発生を抑えるようにPUCCHリソースが設定されるので、MTCカバレッジエンハンスメントモードにおいて符号間干渉による伝送特性の劣化を抑えることができる。
【０１０７】
［実施の形態１のバリエーション］
なお、サブフレーム間直交符号系列の系列長が４以上の場合には、サブフレーム間直交符号系列間における部分系列の直交性の有無（つまり、符号間干渉の大きさ）に応じて、サブフレーム間直交符号系列にリソース（巡回シフト量及びサブフレーム内直交符号系列）を対応付けてもよい。
【０１０８】
具体的には、部分系列が互いに直交するサブフレーム間直交符号系列（以下、「部分直交するサブフレーム間直交符号系列」とも呼ぶ）には、同一のサブフレーム内直交符号系列からなるリソースのうち、近接する巡回シフト量（差が1の巡回シフト量）からなるリソースがそれぞれ対応付けられる。
【０１０９】
図１１は、本バリエーションにおけるPUCCHリソースの設定例を示す。例えば、図１１に示すサブフレーム間直交符号系列(1, 1, 1, 1)に着目する。サブフレーム間直交符号系列(1, 1, 1, 1)の前半２つの符号からなる部分系列（1, 1）は、サブフレーム間直交符号系列(1, -1, 1, -1)の前半２つの符号からなる部分系列(1, -1)及びサブフレーム間直交符号系列(1, -1, -1, 1)の前半２つの符号からなる部分系列(1, -1)と直交する。また、サブフレーム間直交符号系列(1, 1, 1, 1)の後半２つの符号からなる部分系列（1, 1）は、サブフレーム間直交符号系列(1, -1, 1, -1)の後半２つの符号からなる部分系列(1, -1)及びサブフレーム間直交符号系列(1, -1, -1, 1)の後半２つの符号からなる部分系列(-1, 1)と直交する。すなわち、サブフレーム間直交符号系列(1, 1, 1, 1)は、サブフレーム間直交符号系列(1, -1, 1, -1)及び(1, -1, -1, 1)と部分直交する。ここで、サブフレーム間直交符号系列(1, 1, 1, 1)に部分直交するサブフレーム間直交符号系列(1, -1, 1, -1)には、サブフレーム間直交符号系列(1, 1, 1, 1)に対応付けられたリソースの巡回シフト量との差が＋１のリソースが対応付けられている。また、サブフレーム間直交符号系列(1, 1, 1, 1)に部分直交するサブフレーム間直交符号系列(1, -1, -1, 1)には、サブフレーム間直交符号系列(1, 1, 1, 1)に対応付けられたリソースの巡回シフト量との差が−１のリソースが対応付けられている。すなわち、互いに部分直交するサブフレーム間直交符号系列(1, 1, 1, 1)とサブフレーム間直交符号系列(1, -1, 1, -1)又は(1, -1, -1, 1)には、同一のサブフレーム内直交符号系列からなるリソースのうち、近接する巡回シフト量（差が1の巡回シフト量）がそれぞれ対応付けられている。一方、サブフレーム間直交符号系列(1, 1, 1, 1)に部分直交しないサブフレーム間直交符号系列(1, 1, -1, -1)には、サブフレーム間直交符号系列(1, 1, 1, 1)に対応付けられたリソースの巡回シフト量との差が２のリソースが対応付けられている。
【０１１０】
つまり、複数のサブフレーム間直交符号系列のうち、互いに部分直交するサブフレーム間直交符号系列からなるペア（図１１では、(1, 1, 1, 1)と(1, -1, 1, -1)、又は、(1, 1, 1, 1)と(1, -1, -1, 1)）において同一のサブフレーム内直交符号系列（同一の系列番号OC Index）に対して用いられる巡回シフト量の差（図１１では１）は、互いに部分直交しないサブフレーム間直交符号系列からなるペア（図１１では、(1, 1, 1, 1)と(1, 1, -1, -1)）において同一のサブフレーム内直交符号系列に対して用いられる巡回シフト量の差（図１１では２）よりも小さい。他のサブフレーム間直交符号系列に着目した場合についても同様である。
【０１１１】
ここで、互いに部分直交しているサブフレーム間直交符号系列間では、系列長に相当する４サブフレームのうち、前半２サブフレームの系列（前半２つの符号からなる系列）が直交するとともに、後半２サブフレームの系列（後半２つの符号からなる系列）も直交する。そのため、基地局１００は、前半２サブフレームと後半２サブフレームとに分けて、サブフレーム間直交符号系列によって符号多重された複数の応答信号を分離することができる。よって、互いに部分直交しているサブフレーム間直交符号系列間は、互いに部分直交していないサブフレーム間直交符号系列間と比較して、サブフレーム間直交符号系列の直交性の崩れによる符号間干渉を抑えることができる。
【０１１２】
このため、同一のサブフレーム内直交符号系列からなるリソースのうち、近接する巡回シフト量からなるリソース間では、直交性の崩れによる符号間干渉が大きくなるものの、当該リソースに対応付けられた互いに部分直交するサブフレーム間直交符号系列によって、符号間干渉による伝送特性の劣化を抑えることができる。
【０１１３】
また、同一のサブフレーム内直交符号系列からなるリソースのうち、離れた巡回シフト量（例えば、差が２以上の巡回シフト量）からなるリソース間では、直交性の崩れによる符号間干渉が小さい。よって、互いに部分直交しないサブフレーム間直交符号系列間では、直交性の崩れによる符号間干渉は大きくなるものの、当該リソースによる符号間干渉が小さいので、PUCCHリソース全体として符号間干渉を低く抑えることができる。
【０１１４】
（実施の形態２）
実施の形態１（図９、図１０又は図１１）では、１つのサブフレーム間直交符号系列に対応付けられるリソースにおいて、同一のサブフレーム内直交符号系列に対して用いられる巡回シフト量間の（最小）差は、サブフレーム間直交符号系列の系列長と同一である。例えば、サブフレーム間直交符号系列の系列長が２である場合（図９）には、同一のサブフレーム内直交符号系列に対して用いられる巡回シフト量間の（最小）差は、２であり、サブフレーム間直交符号系列の系列長が４である場合（図１０、図１１）には４である。この場合、サブフレーム間直交符号系列の系列長に応じて、使用可能なPUCCHリソースの数が制限されてしまう。
【０１１５】
そこで、本実施の形態では、PUCCHリソースでの符号間干渉を低減しつつ、使用可能なPUCCHリソースの数を増やし、符号多重数の増加を図る方法について説明する。
【０１１６】
なお、本実施の形態に係る基地局及び端末は、実施の形態１に係る基地局１００及び端末２００と基本構成が共通するので、図７及び図８を援用して説明する。
【０１１７】
本実施の形態に係る基地局１００及び端末２００が用いるPUCCHリソース（巡回シフト量、サブフレーム内直交符号系列及びサブフレーム間直交符号系列）において、実施の形態１と同様、各サブフレーム間直交符号系列には、それぞれが１つの巡回シフト量と一つのサブフレーム内直交符号系列（系列番号）とから構成される複数のリソースが、対応付けられている。
【０１１８】
本実施の形態では、複数のサブフレーム間直交符号系列のうち、互いに部分直交しない系列からなる少なくとも１つのペアには、互いに異なるリソースがそれぞれ対応付けられる。一方、複数のサブフレーム間直交符号系列のうち、互いに部分直交する系列からなる少なくとも１つのペアには、同一のリソースがそれぞれ対応付けられる。換言すると、複数のサブフレーム間直交符号系列のうち、互いに部分直交しないサブフレーム間直交符号系列間には、同一のリソースが対応付けられないようにPUCCHリソースが設定される。また、互いに部分直交するサブフレーム間直交符号系列間には、同一のリソースが対応付けられることが許容される。
【０１１９】
図１２は、本実施の形態に係るPUCCHリソースの設定例を示す。図１２は、一例として、サブフレーム間直交符号系列の系列長が４（NSF=4）の場合を示す。
【０１２０】
例えば、図１２に示す複数のサブフレーム間直交符号系列のうち、互いに部分直交するサブフレーム間直交符号系列(1，1，1，1)及び(1，-1，1，-1)には、系列番号OC Indexが0及び2サブフレーム内直交符号系列と、0,2,4,6,8,10の巡回シフト量から構成されるリソースが対応付けられ、系列番号OC Indexが1のサブフレーム内直交符号系列と、1,3,5,7,9,11の巡回シフト量とから構成されるリソースが対応付けられている。
【０１２１】
また、図１２に示す複数のサブフレーム間直交符号系列のうち、互いに部分直交するサブフレーム間直交符号系列(1，1，-1，-1)及び(1，-1，-1，1)には、系列番号OC Indexが0及び2のサブフレーム内直交符号系列と、1,3,5,7,9,11の巡回シフト量とから構成されるリソースが対応付けられ、系列番号OC Indexが1のサブフレーム内直交符号系列と、0,2,4,6,8,10の巡回シフト量とから構成されるリソースが対応付けられている。
【０１２２】
つまり、図１２に示すように、互いに部分直交するサブフレーム間直交符号系列である(1，1，1，1)と(1，-1，1，-1)とのペア、又は、(1，1，-1，-1)と(1，-1，-1，1)とのペアには同一のリソース（巡回シフト量及びサブフレーム内直交符号系列）が対応付けられている。一方、図１２に示すように、互いに部分直交しないサブフレーム間直交符号系列である(1，1，1，1)と(1，1，-1，-1)とのペア、又は、(1，-1，1，-1)と(1，-1，-1，1)とのペアには、異なるリソースが対応付けられている。
【０１２３】
基地局１００は、図１２に示すPUCCHリソース設定に基づいて、MTCエンハンスメントモードが設定された端末２００に対してPUCCHリソースを割り当てる。また、端末２００は、基地局１００に割り当てられたPUCCHリソースを用いて、応答信号を送信する。
【０１２４】
図１２に示すように、互いに部分直交しないサブフレーム間直交符号系列がそれぞれ割り当てられる端末２００間では、サブフレーム間直交符号系列の直交性の崩れによる符号間干渉が大きくなる。しかし、互いに部分直交しないサブフレーム間直交符号系列には、異なるリソース（巡回シフト量とサブフレーム内直交符号系列との組み合わせ）が対応付けられるので、サブフレーム間直交符号系列の直交性の崩れによる符号間干渉を低く抑えることができる。
【０１２５】
すなわち、基地局１００及び端末２００では、直交性の崩れによって符号間干渉が発生しやすい部分直交しないサブフレーム間直交符号系列に対しては、巡回シフト系列及びサブフレーム内直交符号系列による拡散・逆拡散の効果によって符号間干渉を低減することができる。
【０１２６】
一方、上述したように、互いに部分直交しているサブフレーム間直交符号系列間では、前半２サブフレームの系列（前半２つの符号からなる系列）が直交するとともに、後半２サブフレームの系列（後半２つの符号からなる系列）も直交する。そのため、基地局１００は、前半２サブフレームと後半２サブフレームとに分けて、サブフレーム間直交符号系列によって符号多重された複数の応答信号を分離することができる。よって、互いに部分直交しているサブフレーム間直交符号系列間は、互いに部分直交していないサブフレーム間直交符号系列間と比較して、サブフレーム間直交符号系列の直交性の崩れによる符号間干渉を抑えることができる。
【０１２７】
このため、図１２に示すように、互いに部分直交するサブフレーム間直交符号系列がそれぞれ割り当てられる端末２００間では、同一のリソース（巡回シフト量とサブフレーム内直交符号系列との組み合わせ）が使用されたとしても、PUCCHリソース全体として符号間干渉を低く抑えることができる。
【０１２８】
また、図１２に示すように、異なるサブフレーム間直交符号系列に対して同一のリソースを対応付けることで、実施の形態１（図１０又は図１１）に示す例と比較して、各サブフレーム間直交符号系列における使用可能なPUCCHリソースの数を増やすことができる。具体的には、サブフレーム間直交符号系列のそれぞれに対応付けられるリソースにおいて、同一のサブフレーム内直交符号系列に対して用いられる巡回シフト量間の（最小）差を、サブフレーム間直交符号系列の系列長より小さくすることができる。例えば、図１２では、サブフレーム間直交符号系列の系列長が４であるのに対して、各サブフレーム間直交符号系列に対応付けられたリソースにおいて、同一のサブフレーム内直交符号系列に対して用いられる巡回シフト量間の（最小）差は２である。つまり、実施の形態１（図１０）と比較すると、本実施の形態（図１２）では、使用可能なPUCCHリソースの数は２倍となる。
【０１２９】
すなわち、基地局１００及び端末２００では、直交性の崩れによって符号間干渉が発生しにくい部分直交するサブフレーム間直交符号系列に対して同一のリソース（同一の巡回シフト量及び同一のサブフレーム内直交符号系列）を用いることにより、符号間干渉を抑えつつ、PUCCHリソースの数を増やすことができる。つまり、PUCCHリソースのオーバーヘッドを削減することができる。
【０１３０】
以上より、本実施の形態によれば、実施の形態１と比較して、使用可能なPUCCHリソースの数を増やすとともに、MTCカバレッジエンハンスメントモードにおいて符号間干渉による伝送特性の劣化を抑えることができる。
【０１３１】
（実施の形態３）
本実施の形態では、MTCカバレッジエンハンスメントモードの端末がPUCCH信号のレピティション送信を行う場合、レピティション送信を開始するサブフレームは、予め定められたＸ周期とし、レピティション回数（NRep）は、Ｘの整数倍とする（例えば、非特許文献６を参照）。例えば、Ｘは、セル固有のサブフレーム長（Common Subframe length）又はサブフレーム数とする。
【０１３２】
また、本実施の形態では、サブフレーム間直交符号系列の系列長（拡散率）は、予め定められた値とする。例えば、サブフレーム間直交符号系列の系列長（拡散率）は、セル固有のサブフレーム長（Common Subframe length）とし、Ｘと同じとする。
【０１３３】
図１３は、ＸをCommon Subframe lengthと同じ４とし、サブフレーム間直交符号の系列長(拡散率)NSFをCommon Subframe lengthと同じにした場合（つまり、NSF=X=4）の例を示す。また、図１３では、端末１のレピティション回数NRep(1)＝４であり、端末２のレピティション回数NRep(2)＝８である場合について示す。また、図１３では、サブフレーム間直交符号系列の系列セットとして、（1,1,1,1）、（1,-1,1,-1）、（1,1,-1,-1）及び（1,-1,-1,1）が予め設定されている。
【０１３４】
各端末には、端末のレピティション回数に依らず、１つのサブフレーム間直交符号系列セットの中から使用するサブフレーム間直交符号系列が割り当てられる。図１３では、端末１に対して１つのサブフレーム間直交符号系列セットの中のインデックス#0の系列（1,1,1,1）が割り当てられ、端末２に対して同じサブフレーム間直交符号系列セットの中のインデックス#1の系列（1,-1,1,-1）が割り当てられる。なお、図１３に示すように、レピティション回数NRep(2)＝８である端末２には、サブフレーム間直交符号系列（1,-1,1,-1）が２回繰り返して割り当てられる。
【０１３５】
このように、端末間でレピティション回数が異なり、端末間においてPUCCHのレピティション送信を行うサブフレームが部分的に重なっている場合でも、セル固有の系列長（Common Subframe length）のサブフレーム間直交符号系列を用いることにより、PUCCHリソース間の直交性を保つことができる。
【０１３６】
しかしながら、端末間においてレピティション回数が異なる場合、基地局における単位時間当たりの受信信号電力（例えば、Common Subframe length当たりの受信信号電力）には端末間で差が生じる可能性がある。これは、基地局が各端末に設定されたレピティション回数分の信号を受信することにより、所要の品質を満たすことができるからである。一般的に、単位時間当たりの受信信号電力は、レピティション回数の多い端末と比較して、レピティション回数の少ない端末の方が大きい。例えば、図１３では、Common Subframe length当たりの受信信号電力は、レピティション回数４の端末１の方が、レピティション回数８の端末２よりも大きい。
【０１３７】
よって、端末間においてPUCCHのレピティション送信を行うサブフレームが部分的に重なっている場合、当該重なっているサブフレームにおいて端末間の受信信号電力に差が生じる可能性がある。当該重なっているサブフレームにおいて受信信号電力の差が大きい場合には、受信信号電力の大きい信号が受信信号電力の小さい信号に符号間干渉を与え、伝送特性の劣化が生じてしまう。例えば、図１３では、端末１からの信号が端末２からの信号に対して与える符号間干渉が大きくなる。
【０１３８】
そこで、本実施の形態では、レピティション回数の異なる端末２００が同一のリソース（巡回シフト量及びサブフレーム内直交符号系列）を同時に用いないように、PUCCHリソースが設定される。
【０１３９】
本実施の形態に係る基地局及び端末は、実施の形態１に係る基地局１００及び端末２００と基本構成が共通するので、図７及び図８を援用して説明する。
【０１４０】
図１４は、本実施の形態に係るPUCCHリソースの設定例を示す。図１４は、一例として、サブフレーム間直交符号系列の系列長が４（NSF=4）の場合を示す。
【０１４１】
図１４に示すように、本実施の形態に係る基地局１００及び端末２００が用いるPUCCHリソースにおいて、実施の形態１と同様、各サブフレーム間直交符号系列には、それぞれが１つの巡回シフト量と１つのサブフレーム内直交符号系列（系列番号）とから構成される複数のリソースが対応付けられている。また、図１４に示すように、本実施の形態では、実施の形態１（図１０、図１１）と同様、サブフレーム間直交符号系列には、それぞれ異なるリソースが対応付けられている。
【０１４２】
更に、図１４に示すように、本実施の形態では、複数のサブフレーム間直交符号系列には、それぞれ異なるレピティション回数が対応付けられている。つまり、レピティション回数の異なる端末２００に対して、それぞれ、異なるサブフレーム間直交符号系列が割り当てられる。
【０１４３】
例えば、図１４では、サブフレーム間直交符号系列(1，1，1，1)に対応付けられたレピティション回数は４であり、サブフレーム間直交符号系列(1，-1，1，-1)に対応付けられたレピティション回数は８であり、サブフレーム間直交符号系列(1，1，-1，-1)に対応付けられたレピティション回数は１６であり、サブフレーム間直交符号系列(1，-1，-1，1)に対応付けられたレピティション回数は３２である。
【０１４４】
基地局１００は、図１４に示すPUCCHリソース設定に基づいて、レピティション回数の異なる端末２００に対して、異なるサブフレーム間直交符号系列を含むPUCCHリソースを割り当てる。また、端末２００は、基地局１００に割り当てられたPUCCHリソースを用いて、応答信号を送信する。
【０１４５】
図１４に示すように、異なるサブフレーム間直交符号系列には異なるリソースが対応付けられているので、レピティション回数の異なる端末２００の信号は、同一のサブフレーム間直交符号系列及び同一のリソース（巡回シフト量及びサブフレーム内直交符号系列）によって多重されない。すなわち、レピティション回数の異なる端末２００の応答信号は、異なるサブフレーム間直交符号系列、かつ、異なるリソースによって多重される。
【０１４６】
よって、本実施の形態によれば、端末２００間においてPUCCHのレピティション送信を行うサブフレームが部分的に重なり、基地局１００での受信信号電力に差が生じる場合でも、サブフレーム間直交符号系列及びリソース（巡回シフト量及びサブフレーム内直交符号系列）が異なるPUCCHリソースによる拡散・逆拡散によって符号間干渉を低減することができる。
【０１４７】
以上より、本実施の形態によれば、MTCカバレッジエンハンスメントモードにおいて、符号多重される応答信号のレピティション回数を考慮して、符号間干渉による伝送特性の劣化を抑えることができる。
【０１４８】
また、本実施の形態では、図１４に示すように、サブフレーム間直交符号の系列長が４以上の場合には、実施の形態１のバリエーション（図１１）と同様にして、互いに部分直交するサブフレーム間直交符号系列には、同一のサブフレーム内直交符号系列からなるリソースのうち、近接する巡回シフト量（差が１の巡回シフト量）からなるリソースを対応付けてもよい。つまり、複数のサブフレーム間直交符号系列のうち、互いに部分直交するサブフレーム間直交符号系列からなるペアにおいて同一のサブフレーム内直交符号系列に対して用いられる巡回シフト量の差（図１４では１）は、互いに部分直交しないサブフレーム間直交符号系列からなるペアにおいて同一のサブフレーム内直交符号系列に対して用いられる巡回シフト量の差（図１４では２）よりも小さい。
【０１４９】
更に、同一のサブフレーム内直交符号系列に対して近接する巡回シフト量からなるリソースがそれぞれ対応付けられている互いに部分直交するサブフレーム間直交符号系列にそれぞれ対応付けられたレピティション回数の差が、同一のサブフレーム内直交符号系列に対して離れた巡回シフト量（例えば、差が２以上の巡回シフト量）からなるリソースがそれぞれ対応付けられている互いに部分直交しないサブフレーム間直交符号系列にそれぞれ対応付けられたレピティション回数の差よりも小さくなるように、サブフレーム間直交符号系列をレピティション回数に対応付けてもよい。
【０１５０】
すなわち、複数のサブフレーム間直交符号系列のうち、互いに部分直交する系列（同一のサブフレーム内直交符号系列に対して差が小さい巡回シフト量からなるリソースに対応付けられた系列）からなる少なくとも１つのペアにそれぞれ対応付けられたレピティション回数の差は、互いに部分直交しない系列（同一のサブフレーム内直交符号系列に対して差が大きい巡回シフト量からなるリソースに対応付けられた系列）からなる少なくとも１つのペアにそれぞれ対応付けられたレピティション回数の差よりも小さい。
【０１５１】
例えば、図１４に示す例において、互いに部分直交しないサブフレーム間直交符号系列（1,1,1,1）及び（1,1,-1,-1）にそれぞれ対応付けられたレピティション回数の差は１２であるのに対して、互いに部分直交するサブフレーム間直交符号系列（1,1,1,1）及び（1,-1,1,-1）にそれぞれ対応付けられたレピティション回数の差は４（＜１２）である。同様に、互いに部分直交しないサブフレーム間直交符号系列（1,-1,-1,1）及び（1,-1,1,-1）にそれぞれ対応付けられたレピティション回数の差は２４であるのに対して、互いに部分直交するサブフレーム間直交符号系列（1,-1,-1,1）及び（1,1,-1,-1）にそれぞれ対応付けられたレピティション回数の差は１６（＜２４）である。
【０１５２】
こうすることで、レピティション回数の差が小さい端末２００には、同一のサブフレーム内直交符号系列対して近接する巡回シフト量からなるPUCCHリソースがそれぞれ割り当てられる。上述したように、同一のサブフレーム内直交符号系列対して近接する巡回シフト量からなるリソース間では、直交性の崩れによる符号間干渉が大きくなる。これに対して、当該リソースに対応付けられた部分直交するサブフレーム間直交符号系列間での符号間干渉は小さく、かつ、レピティション回数の差が少ない（受信信号電力の差が比較的小さい）端末２００間の符号間干渉も小さい。よって、PUCCHリソース全体として符号間干渉を低く抑えることができる。
【０１５３】
なお、レピティション回数４，８，１６，３２は、２２，２３，２４，２５、つまり、２ｎ（ｎは２以上の自然数）として表される。そこで、上述した「レピティション回数の差」は、２ｎのｎの値の差として扱ってもよい。すなわち、「レピティション回数の差」は、レピティション回数を表すべき乗の指数の差としてもよい。例えば、図１４に示す例において、互いに部分直交しないサブフレーム間直交符号系列（1,1,1,1）（レピティション回数：２２）及び（1,1,-1,-1）（レピティション回数：２４）にそれぞれ対応付けられたレピティション回数の差（指数の差）は２であるのに対して、互いに部分直交するサブフレーム間直交符号系列（1,1,1,1）（レピティション回数：２２）及び（1,-1,1,-1）（レピティション回数：２３）にそれぞれ対応付けられたレピティション回数の差（指数の差）は１（＜２）である。
【０１５４】
（実施の形態４）
実施の形態３（図１４）では、実施の形態１と同様、サブフレーム間直交符号系列に対応付けられるリソースにおいて、同一のサブフレーム内直交符号系列に対して用いられる巡回シフト量間の（最小）差は、サブフレーム間直交符号系列の系列長と同一である。例えば、実施の形態３（図１４）において、各サブフレーム間直交符号系列に対応付けられたリソースのうち、同一のサブフレーム内直交符号系列に対して用いられる巡回シフト量間の（最小）差は４である。この場合、サブフレーム間直交符号系列の系列長に応じて、使用可能なPUCCHリソースの数が制限されてしまう。
【０１５５】
そこで、本実施の形態では、応答信号のレピティション回数を考慮して、PUCCHリソースでの符号間干渉を低減しつつ、使用可能なPUCCHリソースの数を増やし、符号多重数の増加を図る方法について説明する。
【０１５６】
なお、本実施の形態に係る基地局及び端末は、実施の形態１に係る基地局１００及び端末２００と基本構成が共通するので、図７及び図８を援用して説明する。
【０１５７】
図１５は、本実施の形態に係るPUCCHリソースの設定例を示す。図１５は、一例として、サブフレーム間直交符号系列の系列長が４（NSF=4）の場合を示す。
【０１５８】
図１５に示すように、本実施の形態に係る基地局１００及び端末２００が用いるPUCCHリソース（巡回シフト量、サブフレーム内直交符号系列及びサブフレーム間直交符号系列）において、実施の形態１と同様、各サブフレーム間直交符号系列には、それぞれが１つの巡回シフト量と１つのサブフレーム内直交符号系列（系列番号）とから構成される複数のリソースが、対応付けられている。
【０１５９】
また、図１５に示すように、本実施の形態では、実施の形態２と同様、複数のサブフレーム間直交符号系列のうち、互いに部分直交しない系列からなる少なくとも１つのペアには、互いに異なるリソースがそれぞれ対応付けられる。一方、複数のサブフレーム間直交符号系列のうち、互いに部分直交する系列からなる少なくとも１つのペアには、同一のリソースがそれぞれ対応付けられる。
【０１６０】
また、図１５に示すように、本実施の形態では、実施の形態３と同様、複数のサブフレーム間直交符号系列には、それぞれ異なるレピティション回数が対応付けられている。例えば、図１５では、サブフレーム間直交符号系列(1，1，1，1)に対応付けられたレピティション回数は４であり、サブフレーム間直交符号系列(1，1，-1，-1)に対応付けられたレピティション回数は１６であり、サブフレーム間直交符号系列(1，-1，1，-1)に対応付けられたレピティション回数は８であり、サブフレーム間直交符号系列(1，-1，-1，1)に対応付けられたレピティション回数は３２である。
【０１６１】
ただし、本実施の形態では、複数のサブフレーム間直交符号系列のうち、互いに部分直交し、かつ、同一のリソース（巡回シフト量及びサブフレーム内直交符号系列）に対応付けられた系列からなる少なくとも１つのペアにそれぞれ対応付けられたレピティション回数の差は、互いに部分直交せず、かつ、異なるリソースに対応付けられた系列からなる少なくとも１つのペアにそれぞれ対応付けられたレピティション回数の差よりも小さい。
【０１６２】
例えば、図１５に示す例において、互いに部分直交せず、かつ、異なるリソースに対応付けられたサブフレーム間直交符号系列（1,1,1,1）及び（1,1,-1,-1）にそれぞれ対応付けられたレピティション回数の差は１２であるのに対して、互いに部分直交し、かつ、同一のリソースに対応付けられたサブフレーム間直交符号系列（1,1,1,1）及び（1,-1,1,-1）にそれぞれ対応付けられたレピティション回数の差は４（＜１２）である。同様に、互いに部分直交せず、かつ、異なるリソースに対応付けられたサブフレーム間直交符号系列（1,-1,-1,1）及び（1,-1,1,-1）にそれぞれ対応付けられたレピティション回数の差は２４であるのに対して、互いに部分直交し、かつ、同一のリソースに対応付けられたサブフレーム間直交符号系列（1,-1,-1,1）及び（1,1,-1,-1）にそれぞれ対応付けられたレピティション回数の差は１６（＜２４）である。
【０１６３】
基地局１００は、図１５に示すPUCCHリソース設定に基づいて、MTCエンハンスメントモードが設定された端末２００に対してPUCCHリソースを割り当てる。また、端末２００は、基地局１００に割り当てられたPUCCHリソースを用いて、応答信号を送信する。
【０１６４】
こうすることで、レピティション回数の差が小さい端末２００には、互いに部分直交するサブフレーム間直交符号系列、及び、同一のリソースからなるPUCCHリソースがそれぞれ割り当てられる。上述したように、互いに部分直交するサブフレーム間直交符号系列がそれぞれ割り当てられる端末２００間では、同一のリソース（巡回シフト量とサブフレーム内直交符号系列との組み合わせ）が使用されたとしても、部分直交するサブフレーム間直交符号系列間での符号間干渉が小さい。また、レピティション回数の差が少ない（受信信号電力の差が比較的小さい）端末２００間の符号間干渉も小さい。よって、PUCCHリソース全体として符号間干渉を低く抑えることができる。
【０１６５】
また、図１５に示すように、異なるサブフレーム間直交符号系列に対して同一のリソースを対応付けることで、各サブフレーム間直交符号系列における使用可能なPUCCHリソースの数を増やすことができる。具体的には、サブフレーム間直交符号系列のそれぞれに対応付けられるリソースにおいて、同一のサブフレーム内直交符号系列に対して用いられる巡回シフト量間の（最小）差を、サブフレーム間直交符号系列の系列長より小さくすることができる。例えば、図１５では、サブフレーム間直交符号系列の系列長が４であるのに対して、各サブフレーム間直交符号系列に対応付けられたリソースにおいて、同一のサブフレーム内直交符号系列に対して用いられる巡回シフト量間の（最小）差は２である。つまり、実施の形態３（図１４）と比較すると、本実施の形態（図１５）では、使用可能なPUCCHリソースの数は２倍となる。
【０１６６】
以上より、本実施の形態によれば、実施の形態３と比較して、使用可能なPUCCHリソースの数を増やすとともに、MTCカバレッジエンハンスメントモードにおいて符号間干渉による伝送特性の劣化を抑えることができる。
【０１６７】
なお、レピティション回数４，８，１６，３２は、２２，２３，２４，２５、つまり、２ｎ（ｎは２以上の自然数）として表される。そこで、上述した「レピティション回数の差」は、２ｎのｎの値の差として扱ってもよい。すなわち、「レピティション回数の差」は、レピティション回数を表すべき乗の指数の差としてもよい。例えば、図１５に示す例において、互いに部分直交せず、かつ、異なるリソースに対応付けられたサブフレーム間直交符号系列（1,1,1,1）（レピティション回数：２２）及び（1,1,-1,-1）（レピティション回数：２４）にそれぞれ対応付けられたレピティション回数の差（指数の差）は２であるのに対して、互いに部分直交し、かつ、同一のリソースが対応付けられたサブフレーム間直交符号系列（1,1,1,1）（レピティション回数：２２）及び（1,-1,1,-1）（レピティション回数：２３）にそれぞれ対応付けられたレピティション回数の差（指数の差）は１（＜２）である。
【０１６８】
以上、本開示の各実施の形態について説明した。
【０１６９】
なお、実施の形態３及び４では、レピティション回数とサブフレーム間直交符号系列とを関連付けることにより、基地局１００は、端末２００に対して、Implicitにサブフレーム間直交符号系列を通知してもよい。つまり、端末２００は、基地局１００から通知されたレピティション回数に対応付けられたサブフレーム間直交符号系列を特定すればよい。これにより、下りリンクにおける制御信号のオーバーヘッドを削減できる。
【０１７０】
また、上記実施の形態において用いた、レピティション回数、ZAC系列の系列長（巡回シフト量の値）、サブフレーム内直交符号系列の系列長、及び、サブフレーム間直交符号系列の系列長の値は一例であって、これらに限定されるものではない。
【０１７１】
また、上記実施の形態では、本開示の一態様をハードウェアで構成する場合を例にとって説明したが、本開示はハードウェアとの連携においてソフトウェアで実現することも可能である。
【０１７２】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１７４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１７５】
本開示の通信装置は、データ信号に対する応答信号を複数のサブフレームに渡ってレピティションし、互いに直交する複数の第１の系列のうちの１つの系列の各成分をサブフレーム毎の前記応答信号に乗算する生成部と、複数の巡回シフト量のうちの１つで定義される第２の系列と、互いに直交する複数の第３の系列のうちの１つとを、前記応答信号に乗算する拡散部と、を具備し、前記複数の第１の系列のうちの少なくとも２つの系列は、それぞれが前記巡回シフト量と前記第３の系列とから構成される複数のリソースのうち、異なるリソースにそれぞれ対応付けられている。
【０１７６】
本開示の通信装置において、前記複数の第１の系列のうち、互いに部分直交する少なくとも２つ系列にそれぞれ対応付けられた、同一の前記第３の系列に対して用いられる巡回シフト量の差は、互いに部分直交しない少なくとも２つの系列にそれぞれ対応付けられた、同一の前記第３系列に対して用いられる巡回シフト量の差よりも小さい。
【０１７７】
本開示の通信装置において、前記複数の第１の系列のうち、互いに部分直交しない少なくとも２つの系列は、異なる前記リソースに対応付けられ、前記複数の第１系列のうち、互いに部分直交する少なくとも２つの系列は、同一の前記リソースに対応付けられている。
【０１７８】
本開示の通信装置において、前記複数の第１の系列のそれぞれに対応付けられた、同一の前記第３系列に対して用いられる巡回シフト量間の差は、前記第１系列の系列長より小さい。
【０１７９】
本開示の通信装置において、前記複数の第１の系列は、それぞれ異なる前記リソースに対応付けられ、前記複数の第１の系列は、それぞれ異なるレピティション回数に対応付けられている。
【０１８０】
本開示の通信装置において、前記複数の第１の系列は、それぞれ異なるレピティション回数に対応付けられ、前記複数の第１の系列のうち、互いに部分直交する少なくとも２つの系列にそれぞれ対応付けられた前記レピティション回数の差は、互いに部分直交しない少なくとも２つの系列にそれぞれ対応付けられたレピティション回数の差よりも小さい。
【０１８１】
本開示の通信装置において、前記複数の第１系列のうち、互いに部分直交する少なくとも２つの系列は、同一の前記リソースに対応付けられ、互いに部分直交しない少なくとも２つの系列は、異なる前記リソースに対応付けられ、前記複数の第１の系列のうち、互いに部分直交する前記少なくとも２つの系列にそれぞれ対応付けられたレピティション回数の差は、互いに部分直交しない前記少なくとも２つの系列にそれぞれ対応付けられたレピティション回数の差よりも小さい。
【０１８２】
本開示の通信装置において、前記複数の第１の系列は、それぞれ異なるレピティション回数に対応付けられている。
【０１８３】
本開示の通信装置は、データ信号を送信する、送信部と、複数のサブフレームに渡ってレピティションされた、前記データ信号に対する応答信号を受信し、前記応答信号には、互いに直交する複数の第１の系列のうちの１つの系列の各成分が前記複数のサブフレーム毎に乗算され、複数の巡回シフト量のうちの１つで定義される第２の系列と、互いに直交する複数の第３の系列のうちの１つとが、乗算されている、受信部と、具備し、前記複数の第１の系列のうちの少なくとも２つの系列は、それぞれが前記巡回シフト量と前記第３の系列とから構成される複数のリソースのうち、異なるリソースにそれぞれ対応付けられている。
【０１８４】
本開示の送信方法は、データ信号に対する応答信号を複数のサブフレームに渡ってレピティションし、互いに直交する複数の第１の系列のうちの１つの系列の各成分をサブフレーム毎の前記応答信号に乗算し、複数の巡回シフト量のうちの１つで定義される第２の系列と、互いに直交する複数の第３の系列のうちの１つとを、前記応答信号に乗算し、前記複数の第１の系列のうちの少なくとも２つの系列は、それぞれが前記巡回シフト量と前記第３の系列とから構成される複数のリソースのうち、異なるリソースにそれぞれ対応付けられている。
【０１８５】
本開示の受信方法は、データ信号を送信し、複数のサブフレームに渡ってレピティションされた、前記データ信号に対する応答信号を受信し、前記応答信号には、互いに直交する複数の第１の系列のうちの１つの系列の各成分が前記複数のサブフレーム毎に乗算され、複数の巡回シフト量のうちの１つで定義される第２の系列と、互いに直交する複数の第３の系列のうちの１つとが乗算されており、前記複数の第１の系列のうちの少なくとも２つの系列は、それぞれが前記巡回シフト量と前記第３の系列とから構成される複数のリソースのうち、異なるリソースにそれぞれ対応付けられている。
【産業上の利用可能性】
【０１８６】
本開示の一態様は、移動通信システムに有用である。
【符号の説明】
【０１８７】
１００  基地局
２００  端末
１０１，２１３  制御部
１０２  制御信号生成部
１０３  制御信号符号化部
１０４  制御信号変調部
１０５  報知信号生成部
１０６  データ符号化部
１０７  再送制御部
１０８  データ変調部
１０９  信号割当部
１１０，２１８  IFFT部
１１１，２１９  CP付加部
１１２，２２０  送信部
１１３，２０１  アンテナ
１１４，２０２  受信部
１１５，２０３  CP除去部
１１６  PUCCH抽出部
１１７  系列制御部
１１８  レピティション信号合成受信部
１１９  逆拡散部
１２０  相関処理部
１２１，２０９  判定部
２０４  FFT部
２０５  抽出部
２０６  報知信号受信部
２０７  制御信号復調部
２０８  制御信号復号部
２１０  データ復調部
２１１  データ復号部
２１２  CRC部
２１４  ACK/NACK生成部
２１５  変調部
２１６  １次拡散部
２１７  ２次拡散部
【図１】
2016047012.tif 000003
【図２】
2016047012.tif 000004
【図３】
2016047012.tif 000005
【図４】
2016047012.tif 000006
【図５】
2016047012.tif 000007
【図６】
2016047012.tif 000008
【図７】
2016047012.tif 000009
【図８】
2016047012.tif 000010
【図９】
2016047012.tif 000011
【図１０】
2016047012.tif 000012
【図１１】
2016047012.tif 000013
【図１２】
2016047012.tif 000014
【図１３】
2016047012.tif 000015
【図１４】
2016047012.tif 000016
【図１５】
2016047012.tif 000017
【国際調査報告】
2016047012.tif 000018
2016047012.tif 000019
2016047012.tif 000020
2016047012.tif 000021